(57)【特許請求の範囲】
【請求項１】
スピーカー１を取付ける開口部６を有し、外形が略球状又は直方体状の主スピーカーボックス２と、この主スピーカーボックス２の上下、又は左右に、円筒形状の副スピーカーボックス3を接続し、副スピーカーボックス3の主スピーカーボックス２との接続側とは異なる端部に、内部に発生する音圧の抜けすぎを抑制するための円筒形状のバランスキャップ５を取り付けた、ラッパ状のバスレフ開口部７を有した円筒形状のエンドキャップ４を取り付け、前記主スピーカーボックス２の内面を副スピーカーボックス３の取り付け方向及び副スピーカーボックス３の内面を主スピーカーボックス２の取り付け方向に対し円筒形状にすることで定在波の発生を抑制し、スピーカー１にかかる音圧を副スピーカーボックス３に逃がすことで軽減することにより、スピーカー１の持つ特性を引き出し易くしたことを特徴とするスピーカー装置。
【請求項２】
前記主スピーカーボックス２と前記副スピーカーボックス３は、異種金属素材で構成することにより、振動を抑制し、共振を防ぐことを特徴とした請求項１記載のスピーカー装置。
【請求項３】
主スピーカーボックス２はアルミで、副スピーカーボックス３はステンレスで構成したことを特徴とした請求項１又は請求項２に記載のスピーカー装置。
【請求項４】
前記副スピーカーボックス３の金属素材と、それに接続される筒形状のバランスキャップ５又は円筒形状のエンドキャップ４は、異なる金属素材で構成することにより、振動を抑制し、共振を防ぐことを特徴とした請求項１〜３の何れか一つに記載のスピーカー装置。
【請求項５】
前記エンドキャップ４及びバランスキャップ５がアルミであることを特徴とする請求項１〜４の何れか一つに記載のスピーカー装置。
【請求項６】
前記、バランスキャップ５は、エンドキャップ４の取り付け面の反対側を円弧状に切削することで球形状に形成し、音の抜けすぎを防ぐだけではなく直接音を抜かず反射させ、副スピーカーボックス３にて留めて豊かな低音域をだすことができることを特徴とした請求項１〜５の何れか一つに記載のスピーカー装置。
【発明の詳細な説明】
【技術分野】
【０００１】
本発明は、音楽再生等に使用する金属で構成したスピーカー装置に関するものである。
【背景技術】
【０００２】
従来のスピーカーボックスと言えば、特許文献１にように、木製や、プラスチック又は、樹脂成型品などが数多く見られる。木製やプラスチック又、樹脂成型品などは、音圧などによる音の再生に有害な振動などに弱く、木製などは、湿度変化の影響を受けやすいと言う難点がある。又、スピーカーボックスが複数の部品から構成されているとき、各部品の素材が均一にすると、あらゆる方向で伝搬速度が等しくなり、共振が発生するという問題がある。
【先行技術文献】
【特許文献】
【０００３】
【特許文献１】特開平５−６８２９６公報
【発明の概要】
【発明が解決しようとする課題】
【０００４】
木製やプラスチック又、樹脂成型品などにより構成したスピーカーボックスによるスピーカー装置は、スピーカーユニット自体の振動や音圧などによる音の再生に有害な振動などに弱く、次のような課題がある。
１）湿度変化の影響を受けやすい。
２）スピーカーに対する音圧の影響を最小限にし、振動や共振を抑制し、全音域の再生効率の向上と低音域の広がりをより効果的にできない。
３）素材が均一で、あらゆる方向で伝搬速度が等しくなると共振が発生しやすく、クリアで明瞭な音を再生できない。
【課題を解決するための手段】
【０００５】
本発明はスピーカーボックスが全て金属製とすることにより全音域を再生可能としたスピーカー装置である。スピーカーボックスを全て金属素材で形成することにより、音圧によるスピーカーボックス自体の振動を抑制することができる。
【０００６】
スピーカー１を取付ける開口部６を有した直方体状の主スピーカーボックス２と、この主スピーカーボックス２の上下、又は左右に接続した副スピーカーボックス3を設け、副スピーカーボックス３の主スピーカーボックス２の接続側とは異なる端部に、内部に発生する音圧の抜けすぎを抑制するバランスキャップ５を取り付けた、ラッパ状のバスレフホールを有したエンドキャップ４を設ける。前記主スピーカーボックス２の内面を副スピーカーボックス３の取り付け方向及び副スピーカーボックス３の内面を主スピーカーボックス２の取り付け方向に対し円筒形状にすることで定在波の発生を抑制し、スピーカー１のコーンにかかる音圧をスピーカーボックス３に逃がすことで軽減し、スピーカー１のコーンの持つ特性をさらに引き出し易くすることが出来るスピーカー装置である。
【０００７】
本発明は、主スピーカーボックス２と副スピーカーボックス３は、全て金属であり、夫々異種金属で構成することにより、振動を抑制し、共振を防ぐことを特徴としたスピーカー装置である。
【０００８】
本発明は主スピーカーボックス２がアルミで、副スピーカーボックス３がステンレスである事を特徴としたスピーカー装置である。
【０００９】
本発明は、エンドキャップ４及びバランスキャップ５は、アルミであることを特徴とするスピーカー装置である。
【００１０】
本発明は、副スピーカーボックス３の金属素材と、それに接続される筒形状のバランスキャップ５又は円筒形状のエンドキャップ４は、異なる金属素材で構成することにより、振動を抑制し、共振を防ぐことが可能はスピーカー装置である。
又、主スピーカーボックス２の外形を略球状又は、直方体状とすることができるスピーカー装置である。
【発明の効果】
【００１１】
スピーカーボックスを金属素材で構成することにより、振動及び共振を防ぎ、小型で周波数特性と位相特性より金属によるスピーカー装置を構成できる。
【図面の簡単な説明】
【００１２】
【図１】本発明のスピーカー装置の構成図（横型）
【図２】本発明のスピーカー装置の組立図（横型）
【図３】本発明の他の実施例の構成図  （ａ）縦型  （ｂ）連結型
【発明を実施するための形態】
【００１３】
本発明のスピーカー装置の横型の場合の構成図を図１に、組立図を図２に示す。
スピーカー１を取付ける開口部６を有した外形が略球状又は直方体状の主スピーカーボックス２と、この主スピーカーボックス２の上下、又は左右に、円筒形状の副スピーカーボックス3を設ける。副スピーカーボックス３と、主スピーカーボックス２とは、図２に示すようにネジにより接続する。副スピーカーボックス３の主スピーカーボックス２との接続側とは異なる端部に、図２に示すように、内部に発生する音圧の抜けすぎを抑制するための円筒形状のバランスキャップ５を取り付け、ラッパ状のバスレフ開口部７を有した円筒形状のエンドキャップ４を副スピーカーボックス３に取り付けている。
主スピーカーボックス２及び副スピーカーボックス３の内面を円筒形状にすることで定在波の発生を抑制し、スピーカー１にかかる音圧をスピーカーボックス３に逃がすことで軽減し、スピーカー１の持つ特性をさらに引き出し易くする事が出来る。
主スピーカーボックス２の外形は略球状でも、直方体状でもよい。
【００１４】
また、主スピーカーボックス２は、アルミにより、それと接続する副スピーカーボックス３はステンレスで精密機械加工して製作し、主スピーカーボックス２と、それに接続される副スピーカーボックス３は、異なる金属素材を使用するようにしている。
更に、ステンレスで構成した副スピーカーボックス３と、その末端に設けたラッパ状のバスレス開口部７を形成するエンドキャップ４は、副スピーカーボックス３の素材であるステンレスとは異なるアルミにより精密機械加工にて制作する。主スピーカーボックスをアルミとすることは、軽量で強度があり、耐食制及び耐磁性に優れ加工性にも優れている。また、副スピーカーボックスをステンレスとすることは、耐食性や耐磁性に優れ重さの面でも振動抑制となる。
このように、主スピーカーボックス２、副スピーカーボックス３、エンドキャップ４の金属素材を、それぞれ共振周波数の異なるように異なる金属素材で交互に組み合わせることにより、振動を抑制するとともに、余分な振動により、スピーカー１の必要な動きが阻害されることがなく、より鮮明な音の再生を可能にする。
【００１５】
エンドキャップ４のバランスキャップ５の取り付け側にネジ加工を施し、ネジを切ったバランスキャップ５をエンドキャップ４に回しながら取り付ける。
バランスキャップ５は、エンドキャップ４の取り付け面の反対側を工作機械にて円弧状に切削することで球形状に形成され、音の抜けすぎを防ぐだけではなく直接音を抜かず反射させ、副スピーカーボックス３にて留めて豊かな低音域をだすことができる。更に、直線的に音圧を反射させずスピーカー１への影響を抑え、副スピーカーボックス３を有効的にしている。
【００１６】
アルミとステンレスでは、お互いの共振周波数が異なる。その、異なった金属素材で製作した主スピーカーボックス２と副スピーカーボックス３及び、バランスキャップ５を取り付けたラッパ状のバスレフ開口部７を備えたエンドキャップ４を連結することにより、音圧により発生する振動が伝わりにくく、お互いに打ち消しあう事により音の再生に有害な振動を抑える効果がある。
【００１７】
ラッパ状のバスレフ開口部７を備えたエンドキャップ４を両端又は、片方に設けることにより、より一層音の広がりを効果的にする。
【００１８】
また、スピーカー１を、スピーカーリング６で主スピーカーボックス２にネジ等で取り付けることにより、スピーカー１そのものの振動を抑制し、余分な定在波の発生を防ぎ、スピーカー１本来の性能を引き出す事が出来る。
【００１９】
スタンド９はスチール鋼で、各パーツは全て工作機械による精密機械加工にて製作する。
主スピーカーボックス２と副スピーカーボックス３、バランスキャップ５、副スピーカーボックス３とエンドキャップ４、エンドキャップ４とバランスキャップ５間は相互の接続部にネジをきることにより接続しているが、接着、溶接など別方法でもよい。
【実施例１】
【００２０】
図３Ａは、図１の横型とは異なる、縦型の場合の実施例である。内面が円筒形状の副スピーカーボックス３を、内面が円筒形状の主スピーカーボックスの上下に縦型に接続することにより、狭い空間にスピーカー装置を設置できる。
【実施例２】
【００２１】
図３Ｂは図１の横型を２つ連結した連結型の場合の実施例である。左側に円筒形状の副スピーカーボックスを設けた左側主スピーカーボックス２１と、右側に円筒形状の副スピーカーボックス２２を設けた右側主スピーカーボックスを円筒形状の連結ボディ１０で連結する事により省スペースで横方向に広がりのある音空間をつくるスピーカー装置となる。
この連結ボディは、左側主スピーカーボックスの音と、右側主スピーカーボックスの音を分離するため、真ん中でせき止めている。
【実施例３】
【００２２】
図１の横型と図２の縦型の両方を組み合わせ、主スピーカーボックス２の上下と左右に、円筒形状の副スピーカーボックス3を接続し、音の広がりを拡大できる金属で構成したスピーカー装置が構成できる。
【産業上の利用可能性】
【００２３】
狭い場所に、容易に設置でき、広域な周波数特性をもつ金属素材で構成したスピーカー装置を提供する。
【符号の説明】
【００２４】
１    スピーカー
２    主スピーカーボックス
２１  左側副スピーカーボックス
２２  右側副スピーカーボックス
３    副スピーカーボックス
４    エンドキャップ
５    バランスキャップ
６    スピーカー取り付け開口部
７    バスレフ開口部
８    スピーカーリング
９    スタンド  
１０  連結ボディ
【図１】
0005467545.tif 000002
【図２】
0005467545.tif 000003
【図３】
0005467545.tif 000004